(57)【特許請求の範囲】
【請求項１】
カード類及びシート類（以下、カード類等ともいう）を処理する装置であって、
処理済みのカード類等が排出されて積み重ねられるスタッカーとして、
カード類等の排出方向の上流側に設けられた所定枚数のカード類等を収容可能な本体スタッカーと、
該本体スタッカーの下流側に設けられた増設スタッカーと、を備え、
前記本体スタッカーから前記増設スタッカーへ、カード類等の排出を切り替える切替機構として、
前記本体スタッカーをオーバーフローするカード類等を検出する検出部と、
該検出部で検出したカード類等の次から排出されるカード類等を前記増設スタッカーへと滑り落とさせる切替スロープと、を有し、
前記切替機構として、
前記本体スタッカーからオーバーフローするカード類等の先端が当たって係止されるとともに、前記カード類等の当接によって少量変位する検出部としてのストッパーと、
該ストッパーの変位に連動して、本体スタッカー排出姿勢から増設スタッカー排出姿勢に切り替えられる切替スロープと、
を有することをカード類及びシート類の処理装置。
【請求項２】
カード類及びシート類（以下、カード類等ともいう）を処理する装置であって、
処理済みのカード類等が排出されて積み重ねられるスタッカーとして、
カード類等の排出方向の上流側に設けられた所定枚数のカード類等を収容可能な本体スタッカーと、
該本体スタッカーの下流側に設けられた増設スタッカーと、を備え、
前記本体スタッカーから前記増設スタッカーへ、カード類等の排出を切り替える切替機構として、
前記本体スタッカーをオーバーフローするカード類等を検出する検出部と、
該検出部で検出したカード類等の次から排出されるカード類等を前記増設スタッカーへと滑り落とさせる切替スロープと、を有し、
該切替スロープが、本体スタッカー排出姿勢から増設スタッカー排出姿勢に切り替えられるものであって、前記増設スタッカー排出姿勢において前記本体スタッカーの上面開口を覆いカード類等を前記増設スタッカーへ導く覆い部を有することを特徴とするカード類及びシート類の処理装置。
【請求項３】
前記検出部及び前記切替スロープが前記増設スタッカーに付設されていることを特徴とする請求項１又は２記載のカード類及びシート類の処理装置。
【請求項４】
カード類等を処理する装置における処理済みのカード類等が排出されて積み重ねられる本体スタッカーのカード類等の排出方向の下流側に置かれる増設スタッカーであって、
前記本体スタッカーから前記増設スタッカーへ、カード類等の排出を切り替える切替機構として、
前記本体スタッカーからオーバーフローするカード類等の先端が当たって係止されるとともに、前記カード類等の当接によって少量変位する検出部としてのストッパーと、
該ストッパーの変位に連動して、本体スタッカー排出姿勢から増設スタッカー排出姿勢に切り替えられる切替スロープと、
を有することを特徴とする増設カード類及びシート類スタッカー。
【請求項５】
前記ストッパーが、
前記本体スタッカーの上面より上方に突き出た当接部と、
前記切替スロープとの係合部と、を有し、
前記増設スタッカーにカード類等の排出方向における前方に回動可能に支持されており、
前記切替スロープが、
前記ストッパーの係合部と係合して、該切替スロープを前記本体スタッカー排出姿勢に維持する係合部と、
前記増設スタッカー排出姿勢において前記本体スタッカーの上面開口を覆い、カード類等を前記増設スタッカーへ導く覆い部と、を有し、
前記増設スタッカーにカード類等の排出方向における前方及び後方に回動可能に支持されているとともに、前記増設スタッカー排出姿勢へ回動するよう付勢されていることを特徴とする請求項１若しくは３に記載のカード類及びシート類の処理装置、又は、請求項４記載の増設カード類及びシート類スタッカー。
【発明の詳細な説明】
【技術分野】
【０００１】
本発明は、処理済みのカード類やシート類を受け入れて収容するスタッカーを備えたカード類及びシート類の処理装置に関する。特には、増設可能なスタッカーを備えたカード類及びシート類の処理装置に関する。
【背景技術】
【０００２】
紙やプラスチック製のカード類は、会員証や、学生証、社員証等の身分証明書や、チケット、名刺、タグ等として使用されている。これらのカード類は、プリンターや磁気式等のカードリーダーライター等によって様々な情報の印刷や書き込み（処理）が行われる。
【０００３】
処理済みのカード類は、通常、アウトプットスタッカーに排出（放出）され、積み重ねられる（収容される）。スタッカーは、一般に上面の開いた箱状のもので、収容されるカードの枚数は、スタッカーの高さ（深さ）によって決まる。作業効率を考慮すると、収容枚数を多くすることが望まれるが、その場合スタッカーの高さを高くする必要があり、それに伴い処理装置のカード排出位置も高くしなければならなくなる。その結果、装置の高さが高くなり、装置のコンパクト化の要請に反することとなる。
【０００４】
デスク置き型の小型プリンターの場合、例えば、ＪＩＳ規格の厚さ０．７６ｍｍのプラスチック製のカードの場合、収容枚数は３０枚〜７５枚である。なお、プリンターへカードを送り込むインプットスタッカーは、通常、アウトプットスタッカーよりも収容枚数が多い（例えば２００枚）。これは、インプットスタッカーは、上方向（空間）に高くしやすいが、アウトプットスタッカーは、カードが自重で落ち込むため、装置のカード排出口よりも高くできないためである。なお、近年は、プリンターの小型化の傾向が進んでおり、カード排出口の高さはより低くなる状況である。
もし、排出されたカードがスタッカーの容量を超えると、排出されたカードがぶつかって排出できなくなって、機器の故障の原因となったりカードが破損したりするおそれがある。また、容量を超えたカードがスタッカーの回りに散らばってしまい、散らばったカードを手で集めて重ねる必要がある。ここで、カードの順番が決められている場合、集める際に順番が乱れてしまうことがある。このため、スタッカーに満杯近くにカードが溜まるタイミングで人が監視しておく必要がある。
【０００５】
もし、カードがスタッカーからオーバーフローしてしまうと、散乱したカードを集めて重ねても、カードの順番がくるってしまう。そして、正しい順番に並べ替える、あるいは、順番を確認するには、カード作製データと現物のカードを照合する必要があり、手間がかかるとともに、エラーが生じやすい作業となる。
【発明の開示】
【発明が解決しようとする課題】
【０００６】
本発明は、前記の課題に鑑みてなされたものであって、本体スタッカーが満杯になった後、同スタッカーをオーバーフローしたカード類及びシート類を自動的に増設スタッカーへ導くことのできるスタッカーを備えたカード類及びシート類の処理装置を提供することを目的とする。
【課題を解決するための手段】
【０００７】
本発明のベースとなるカード類及びシート類（以下、カード類等ともいう）の処理装置は、 カード類等を処理する装置であって、 処理済みのカード類等が排出されて積み重ねられるスタッカーとして、 カード類等の排出方向の上流側に設けられた所定枚数のカード類等を収容可能な本体スタッカーと、 該本体スタッカーの下流側に設けられた増設スタッカーと、を備え、 前記本体スタッカーから前記増設スタッカーへ、カード類等の排出を切り替える切替機構として、 前記本体スタッカーをオーバーフローするカード類等を検出する検出部と、 該検出部で検出したカード類等の次から排出されるカード類等を前記増設スタッカーへと滑り落とさせる切替スロープと、を有する。
【０００８】
本発明によれば、本体スタッカーのカード類等の排出方向の下流側に隣接させて増設スタッカーを配置しておく。本体スタッカーからオーバーフローするカード類等が検出部で検出されると、切替スロープが増設スタッカーへ排出されるカード類等を案内する位置（姿勢）に自動的に切り替わる。そして、オーバーフローした次のカード類等から、増設スタッカーに順番に排出され、積み重ねられる。したがって、収容枚数を増やすことができるとともに、カード類等を順番に収容できる。これにより、人が監視するタイミングの間隔が長くなる。さらに、カード類等の順番確認の手間や、順番エラーを防ぐことができる。なお、オーバーフローした一枚目のカードは本体スタッカーに留めておく。
【０００９】
検出されるカード類等はオーバーフローする「一枚目」とし、増設スタッカーへ案内するのはオーバーフローする「二枚目」とするのが一般的と考えられる。ただし、検出するカード、増設スタッカーへ案内されるカード類等は、二枚目や三枚目、四枚目などであってもよい。なお、オーバーフローするカード類等は検出部（ストッパー）で本体スタッカー上から落ちないように保持される。
【００１０】
ここで、カード類とは、紙製やプラスチック製のＩＣカード又は磁気カードを使用する会員証、学生証、社員証、チケット、タグ、名刺等を含む。また、処理装置とは、プリンターや、ＩＣチップ・磁気テープのリーダー・ライター、ラミネーター等を含む。また、シート類とは、紙、フィルム等も含む。シート類処理装置としては、プリンター、ラミネーター等を含む。
【００１１】
本発明においては、  前記検出部及び前記切替スロープが前記増設スタッカーに付設されていることが好ましい。
【００１２】
本発明によれば、さまざまな装置の本体スタッカーの下流側に隣接させて配置するだけでアウトプットスタッカーの容量を増加できる。
【００１３】
本発明においては、  前記切替機構が、  前記本体スタッカーからオーバーフローするカード類等の先端が当たって係止されるとともに、前記カード類等の当接によって少量変位する検出部としてのストッパーと、  該ストッパーの変位に連動して、本体スタッカー排出姿勢から増設スタッカー排出姿勢に切り替えられる切替スロープと、を有することとできる。なお、電気センサによる制御、駆動式紙・カード送りも可能である。
【００１４】
本発明によれば、機械的は構成のみで増設スタッカーへの切替ができる。電気的な検知部等を使用していないので、配線などが不要となり、構造が簡単で安価に製造可能である。
【００１５】
本発明の増設スタッカーは、  カード類等を処理する装置における処理済みのカード類等が排出されて積み重ねられる本体スタッカーのカード類等の排出方向の下流側に置かれる増設スタッカーであって、  前記本体スタッカーから前記増設スタッカーへ、カード類等の排出を切り替える切替機構として、  前記本体スタッカーからオーバーフローするカード類等の先端が当たって係止されるとともに、前記カード類等の当接によって少量変位する検出部としてのストッパーと、  該ストッパーの変位に連動して、本体スタッカー排出姿勢から増設スタッカー排出姿勢に切り替えられる切替スロープと、を有することを特徴とする。
【００１６】
これらの発明においては、  前記ストッパーが、  前記本体スタッカーの上面より上方に突き出た当接部と、  前記切替スロープとの係合部と、を有し、  前記増設スタッカーにカード類等の排出方向における前方に回動可能に支持されており、  前記切替スロープが、  前記ストッパーの係合部と係合して、該切替スロープを前記本体スタッカー排出姿勢に維持する係合部と、  前記増設スタッカー排出姿勢において前記本体スタッカーの上面開口を覆い、カード類等を前記増設スタッカーへ導く覆い部と、を有し、  前記増設スタッカーにカード類等の排出方向における前方及び後方に回動可能に支持されているとともに、前記増設スタッカー排出姿勢へ回動するよう付勢されていることとできる。
【発明の効果】
【００１７】
以上の説明から明らかなように、本発明によれば、本体スタッカーと、本体スタッカーのカード類等の排出方向の下流側に隣接して配置される増設スタッカーとを備える。本体スタッカーからオーバーフローするカード類等が検出部で検出されると、切替スロープが増設スタッカーへ排出されるカード類等を案内する位置（姿勢）に自動的に切り替わる。そして、オーバーフローした次のカード類等から、増設スタッカーに順番に排出され、積み重ねられる。このように人が監視を要するタイミングの間隔が長くなるので、人手がかからなくて済む。
【００１８】
また、収容枚数を増やすことができるとともに、カード類を順番に収容できる。したがって、散乱したカードを並べ直す手間や順番を確認する手間がかからない。さらに、排出されるカード類やシート類がぶつかることがないので、機器の紙詰まり等による故障や、カードの破損を防止できる。さらには、人為的なミスが生じる可能性をなくすことができる。
【図面の簡単な説明】
【００１９】
【図１】本発明の実施の形態に係るスタッカーの斜視図である。
【図２】図１のスタッカーの側断面図である。
【図３】増設スタッカーの斜視図である。
【図４】切替スロープの切替を説明する図であり、図４（Ａ）は切替スロープが本体スタッカー排出姿勢の状態、図４（Ｂ）は切替スロープが増設スタッカー排出姿勢に切り替えられた状態を示す。
【図５】切替スロープが増設スタッカー排出姿勢に切り替えられた後でカードが排出される状態を示す図である。
【図６】切替スロープとストッパーを係合させる過程を説明する図である。
【発明を実施するための形態】
【００２０】
以下、本発明の実施の形態について、図面を参照しながら詳細に説明する。
図１、図２を参照して、本発明の実施の形態に係るカード類処理装置に備えられるスタッカーを説明する。図１は、本体スタッカーと増設スタッカーとを連結した状態を示す斜視図である。図２は、本体スタッカーと増設スタッカーとを連結した状態を示す側断面図である。なお、以下では、カード類（単にカードともいう）の処理を例にとって説明するが、紙やフィルム等のシート類の処理にも使用できる。また、切替機構としては、純機械式のもの以外に電気センサを用いてもよい。また、スロープのカード類搬送は駆動式でもよい。
スタッカー１は、処理装置の排出口の、カード排出方向の上流側に配置された、所定枚数のカード類を収容可能な本体スタッカー１０と、本体スタッカー１０の下流側に連結される増設スタッカー２０と、を備える。増設スタッカー２０には、本体スタッカー１０から増設スタッカー２０、カード類の排出を切り替える切替機構（ストッパー３０、切替スロープ４０など）が備えられている。この切替機構は、本体スタッカー１０をオーバーフローした一枚目のカードを検出して、検出されたカードの次に排出されるカードを増設スタッカー２０へ案内する。
各図において、カード排出方向を前方、その反対方向を後方とし、カード排出方向に直交する方向を左右方向とする。
【００２１】
本体スタッカー１０は、上面が開口した箱状のものであり、前板１０ａ、後板１０ｂ、両側板１０ｃ、及び、底板１０ｄを有する。図２に示すように、底板１０ｄは、カードの寸法とほぼ同じ寸法の長方形であり、カード排出方向の下流に向かって（前方に向かって）下方に傾斜している。また、同スタッカー１０の上面１０ｅも、底板１０ｄとほぼ平行に、前方に向かって下方に傾斜している。前板１０ａは、底板１０ｄと直交するように、やや前方に傾斜している。後板１０ｂは水平面に対してほぼ直角となっている。これにより、本体スタッカー１０の中空部はやや上方に向かって広くなっている。
【００２２】
前板１０ａの上縁の左右方向中央から、底板１０ｄの前半部に渡って、所定の幅のスリット１１が形成されている。このスリット１１は、収容されたカードの取り出し用のものである。
また、両側板１０ｃの前端寄りの部分には、増設スタッカー連結用の突起１３が形成されている。
【００２３】
図３も参照して増設スタッカーを説明する。図３は、増設スタッカーの斜視図である。
増設スタッカー２０も、上面が開口した箱状のものであり、前板２０ａ、後板２０ｂ、両側板２０ｃ、及び、底板２０ｄを有する。底板２０ｄは、カードの寸法とほぼ同じ寸法の長方形であり、前方に向かって、本体スタッカー１０の底板１０ｄの傾斜角度とほぼ同じ角度で下方に傾斜している。同スタッカー２０の上面２０ｅは、本体スタッカー１０の上面１０ｅの前端よりもやや低い高さから、底板２０ｄの傾斜角度とほぼ同じ角度で、前方に向かって下方に傾斜している。前板２０ａは、底板２０ｄと直交するように、やや前方に傾斜している。両側板２０ｃは、後板２０ｂよりも後方に延びている。両側板２０ｃの後端は、前板２０ａとほぼ平行に、やや前方に傾斜している。
【００２４】
前板２０ａの上縁の左右方向中央から、底板２０ｄの前半部に渡って、所定の幅のスリット２１が形成されている。これは、収容されたカード類の取り出し用のものである。
後板２０ｂには、上端の左右方向中央から下端寄りまで延びる、所定の幅のスリット２３が形成されている。このスリット２３には、後述するように切替４０スロープが入り込む。
また、両側板２０ｃの後端寄りの部分には、増設スタッカー連結用の突起１３に係合するホック部２５が形成されている。
【００２５】
切替機構は、本体スタッカー１０からオーバーフローするカードの先端が当たるストッパー３０と、排出されるカードを本体スタッカー排出姿勢から増設スタッカー排出姿勢に切り替える切替スロープ４０と、から構成される。
【００２６】
ストッパー３０は、図２、図３に示すように、両側板２０ｃの後端間の、増設スタッカー２０の後板２０ｄより後方に配置され、カードの先端が当たる当接部３１と、後述する切替スロープ４０と係合する係合部３２と、を有する。当接部３１は、増設スタッカー２０の後板２０ｄに対向するように配置され、左右方向に長い基部３１ａと、基部３１ａの中央から上方へ延びる突部３１とを有し、逆Ｔ字型の平面形状である。
係合部３２は、当接部３１の基部３１ａの下縁からほぼ直角に前方に延びている。係合部３２の前端には、ほぼ直角に上方に折り返された係合片３３が形成されている。この係合片３３に、後述する切替スロープ４０の下端が係合する。
【００２７】
図２、３に示すように、ストッパー３０の当接部３１の基部３１ａの左右端は、増設スタッカー２０の両側板２０ｃの内側に、回転軸３５によって回動可能に支持されている。これにより、ストッパー３０は、回転軸３５を中心として、通常姿勢から前方に回動可能である。通常姿勢とは、図２に示す姿勢であり、当接部３１が、増設スタッカー２０の両側板２０ｃの後端とほぼ平行な姿勢（やや前方に傾斜した姿勢）である。ストッパー３０は、増設スタッカー２０の両側板２０ｃの後端に形成された係止部３７によって、通常状態から図の反時計方向への回動を抑制されている。当接部３１の縦方向の長さ（高さ）については後述する。
【００２８】
切替スロープ４０は、増設スタッカー２０の両側板２０ｃの後端間の、ストッパー３０と後板２０ｄとの間に配置され、前述のストッパー３０の係合部３２と係合する係合部４１と、本体スタッカー１０の開口に被さる覆い部４２と、を有する。係合部４１は、増設スタッカー２０の後板２０ｄに対向するように配置されており、高さは、ストッパー３０の当接部３１の高さよりもやや高い。覆い部４２は、係合部４１の上縁から、ストッパー３０の上縁を越えてほぼ直角に後方に延びている。係合部４１と覆い部４２の幅は、増設スタッカー２０の後板２０ｂに形成されたスリット２３の幅よりやや狭い。覆い部４２の長さについては後述する。
【００２９】
切替スロープ４０の係合部４１の下部は左右に延びており、左右端で、増設スタッカー２０の両側板２０ｃの内側に、回転軸４５によって回動可能に支持されている。回転軸４５は、ストッパー３０の回転軸３５及び係合片３３よりも前方に位置している。これにより、切替スロープ４０は、回転軸４５を中心として、前方及び後方に回動可能である。
【００３０】
切替スロープ４０の係合部４１の回動軸４５より下方の部分と、増設スタッカー２０の底板２０ｄの下面のほぼ中央との間には、バネ４７が配置されている。このバネ４７は、切替スロープ４０を回転軸４５を中心として後方に回動するように付勢している。
【００３１】
ストッパー３０と切替スロープ４０との係合について説明する。
ストッパー３０は、係止部３７により通常姿勢（当接部３１が増設ストッカー２０の両側板２０ｃの後端とほぼ平行な姿勢）に維持されている。切替スロープ４０は、係合部４１の下端が、ストッパー３０の係合部３２の係合片３３に係合している。係合片３３は、切替スロープ４０の回動軸４５よりも後方に位置しているので、切替スロープ４０の係合部４１の回動軸４５よりも下方の部分が後方に引っ張られ、これにより、切替スロープ４０は最も前方に回動した状態に維持されている。つまり、切替スロープ４０の係合部４１は、やや前方に傾斜して増設スタッカー２０の後板２０ｂに形成されたスリット２３内に入り込み、前面が同スリット２３の底面に当接している。
【００３２】
ストッパー３０と切替スロープ４０とが係合した状態の増設スタッカー２０を本体スタッカー１０に連結する際は、図１に分かりやすく示すように、増設スタッカー２０のホック部２５を本体スタッカー１０の突部１３に引っ掛ける。これにより、増設スタッカー２０は本体スタッカー１０の下流に隣接して配置され、増設スタッカー２０のストッパー３０の当接部３１は、本体スタッカー１０の前板１０ａとほぼ平行に対向する。ここで、当接部３１の突部３１ｂの上端は、本体スタッカー１０の前板１０ａの上端よりも高い位置にある。本体スタッカー１０の前板１０ａの上端と、ストッパー３０の当接部３１の突部３１ｂの上端との間隔は、カードの一枚分の厚さより厚い。
【００３３】
また、切替スロープ４０の覆い部４２は本体スタッカー１０の上面１０ｅよりも上方に位置しており、覆い部４２と本体スタッカー１０の上面１０ｅとの間にはある程度の空間が開いている（本体スタッカー排出姿勢）。
【００３４】
図２に示すように、処理装置の排出ローラＤ（あるいは排出口）から排出されたカードＣ１は、自重により本体スタッカー１０へ落下し、同スタッカー１０内に積み重ねられる。この際、切替スロープ４０の覆い部４２は本体スタッカー１０の上面１０ｅから離れているので、覆い部４２はカードＣ１の落下を妨げない。
【００３５】
図４、図５を参照して、本体スタッカーをオーバーフローしたカードが増設スタッカーへ切り替えられる様子について説明する。
図４（Ａ）に示すように、本体スタッカー１０が、ｎ枚目のカードＣ０で満杯になったとする。本体スタッカー１０の底板１０ｄは前方に向かって下方に傾斜しているので、カードも前方に向かって下方に傾斜した姿勢で積み重ねられている。このため、ｎ枚目のカードＣ０は、前端が本体スタッカー１０の前板１０ａに当接している。次に、（ｎ＋１）枚目のカードＣ１が排出されると、このカードＣ１は、ｎ枚目のカードＣ０の上面に落下し、同面に沿って自重により前方に滑って行く。
【００３６】
このカードＣ１は、図４（Ｂ）に示すように、本体スタッカー１０の前板１０ａを越えて、増設スタッカー２０のストッパー３０の当接部３１に当接する。すると、ストッパー３０の当接部３１は（ｎ＋１）枚目のカードＣ１で押されて、回転軸３５を中心として前方に回動する。すると、切替スロープ４０の係合部４１と係合していた、ストッパー３０の係合部３２は後方へ回動し、同係合が外れる。これにより、切替スロープ４０はバネ４７で付勢されて後方へ回動する。そして、切替スロープ４０の覆い部４２が、本体スタッカー１０の上面開口を覆うように回動して、覆い部４２の先端が（ｎ＋１）枚目のカードＣ１の上面に当接する。ここで、覆い部４２はやや前方向かって下方に傾斜している（増設スタッカー排出姿勢）。また、切替スロープ４０にはバネ４７によって後方へ回動する力がかかっているので、覆い部４２の先端はカードＣ１の上面に押圧されている。
なお、覆い部４２の長さは、排出部Ｄから排出されるカードの前端が、覆い部４２の上面に当接するだけの長さとなっている。つまり、排出されたカードの前端が、覆い部４２に達しない事態を避ける必要がある。この長さは、排出部Ｄとスタッカー１との前後方向及び上下方向の位置関係で決められる。
【００３７】
次に、（ｎ＋２）枚目のカードＣ２が排出されると、同カードＣ２の前端は切替スロープ４０の覆い部４２の上面に当たる。覆い部４２は前方に向かって下方に傾斜しているので、そのまま覆い部４２に沿って自重で落下し、図５に示すように、増設スタッカー２０に案内される。このように、（ｎ＋２）枚目以降のカードは、切替スロープ４０の覆い部４２に沿って増設スタッカー２０に案内され、積み重ねられる。
【００３８】
次に、増設スタッカー２０において、ストッパー３０と切替スロープ４０とを係合させる方法について、図６を参照して説明する。
図６に示すように、指Ｆ１でストッパー３０の当接部３１を前方に押して、当接部３１を前方に、係合部３２を後方（図の左方向）に回動させておく。そして、別の指Ｆ２で切替スロープ４０の覆い部４２を前方に引き上げ、前方に回動させる。これにより、切替スロープ４０の係合部４１の回動軸４５の下方の部分は後方に回動する。この際、切替スロープ４０の係合部４１の下端は、ストッパー３０の係合部３２の係合片３３の上縁を越えて後方に達する。そして、ストッパー３０を通常姿勢に戻すと、ストッパー３０の係合部３２の係合片３３が切替スロープ４０の係合部４１の下端に係合する。
【００３９】
なお、切替スロープ４０の本体スタッカー排出姿勢から増設スタッカー排出姿勢への切り替えを、センサで検知し、ランプの点灯やブザーをならすなどで知らせることが好ましい。
【００４０】
ストッパー３０と切替スロープ４０、バネ４７などからなる切替機構は、上述の例では（ｎ＋１）枚目のカードによって作動し、（ｎ＋２）枚目のカードからを増設スタッカー２０に収容するものであったが、（ｎ＋２）枚目（あるいはそれ以上）のカードによって作動し、（ｎ＋３）枚目（あるいはそれ以上）のカードからを増設スタッカー２０に収容するようにしてもよい。ストッパー３０や切替スロープ４０の厚さ・重さ、バネ４７の強さ、回動支点の位置等は、カードの自重等に応じて選択できる。
【符号の説明】
【００４１】
１  スタッカー
１０  本体スタッカー                  １１  スリット
１３  突起
２０  増設スタッカー                  ２１  スリット
２３  スリット                        ２５  ホック部
３０  ストッパー                      ３１  当接部
３２  係合部                          ３３  係合片
３５  回転軸                          ３７  係止部
４０  切替スロープ                    ４１  係合部
４２  覆い部                          ４５  回転軸
４７  バネ
【図１】
0005695596.tif 000002
【図２】
0005695596.tif 000003
【図３】
0005695596.tif 000004
【図４】
0005695596.tif 000005
【図５】
0005695596.tif 000006
【図６】
0005695596.tif 000007